(57)【要約】【課題】  補助作業者を必要とすることなく工具箱本体からの工具の取出し、戻しを容易に行うことができる作業工具箱を提供すること。【解決手段】  開口部１２０を通して下側の作業空間に入って所定の作業を行うときに用いる作業工具箱４（６）。この作業箱４（６）は、作業を行うための工具を収容するための工具箱本体２０（２２）と、工具箱本体に開閉自在に装着された蓋部材５４とを備え、工具箱本体２０（２２）には上面から前面にかけて本体開口が設けられ、蓋部材５４は工具箱本体２０（２２）の本体開口を開閉する。【選択図】  図７
2009012128.tif 000002
【特許請求の範囲】
【請求項１】
開口部を通して下側の作業空間に入って所定の作業を行うときに用いる作業工具箱であって、作業を行うための工具を収容するための工具箱本体と、前記工具箱本体に開閉自在に装着された蓋部材とを備え、前記工具箱本体には上面から前面にかけて本体開口が設けられ、前記蓋部材は前記工具箱本体の前記本体開口を開閉することを特徴とする作業工具箱。
【請求項２】
前記工具箱本体の上部には本体収容部が設けられ、前記本体開口は前記本体収容部の上面から前面にかけて設けられ、前記蓋部材は前記本体収容部の前記本体開口を開閉し、また前記工具箱本体の下部には補助収容部が設けられ、前記補助収容部の前面に補助開口が設けられ、前記補助開口に関連して、前記補助開口を開閉する補助蓋部材が設けられていることを特徴とする請求項１に記載の作業工具箱。
【請求項３】
前記工具箱本体の上部には本体収容部が設けられ、前記本体開口は前記本体収容部の上面から前面にかけて設けられ、また前記工具箱本体の下部には補助収容部が設けられ、前記補助収容部の前面に補助開口が設けられ、前記蓋部材は前記本体収容部の前記本体開口及び前記補助収容部の前記補助開口を開閉することを特徴とする請求項１に記載の作業工具箱。
【請求項４】
前記工具箱本体には工具収容部が設けられ、前記工具収容部は仕切板によって複数の工具収容空間に仕切られ、前記複数の工具収容空間には所定の作業の作業工程順に従って使用される工具がその作業工程順に収容されていることを特徴とする請求項１〜３のいずれかに記載の作業工具箱。
【請求項５】
前記工具箱本体の両側部には一対の持上げ部が設けられ、また前記工具箱本体の底面には補強部材が設けられ、前記一対の持上げ部は前記補強部材を介して相互に連結されていることを特徴とする請求項１〜４のいずれかに記載の作業工具箱。
【請求項６】
上下方向に載置される下側工具箱及び上側工具箱を備え、前記下側工具箱は作業を行うための工具を収容するための下側工具箱本体と、前記下側工具箱本体の両側部に設けられた一対の下側持上げ部とを備え、また前記上側工具箱は作業を行うための工具を収容するための上側工具箱本体と、前記上側工具箱本体の両側部に設けられた一対の上側持上げ部とを備え、前記下側の両側部には一対の下側持上げ部とを備え、前記上側工具箱本体は前記下側工具箱の前記一対の下側持上げ部の内側にて前記下側工具箱本体に載置されることを特徴とする工具収容装置。
【請求項７】
前記下側工具箱の前記一対の下側持上げ部には把持部が設けられ、また前記上側工具箱の前記一対の上側持上げ部には、前記一対の下側持上げ部の前記把持部に載置される被載置部が設けられ、前記一対の下側持上げ部の前記把持部及び／又は前記一対の上側持上げ部の前記被載置部には滑止め部材が設けられていることを特徴とする請求項６に記載の工具収容装置。
【発明の詳細な説明】
【技術分野】
【０００１】
本発明は、各種工具を収容する工具箱及びこれら工具箱を二つ備えた工具収容装置に関する。
【背景技術】
【０００２】
各種工具を収納する工具箱として種々のものが提案され、その代表的な一例として、内部に収容部が設けられた工具箱本体と、この工具箱本体に開閉自在に装着された蓋体とから構成されたものがある（例えば、特許文献１）。この工具箱では、工具箱本体の収容部が仕切壁によって大物収容空間と小物収容空間とに仕切られ、大物収容空間に例えば電動工具（電動グラインダ、電動ドリル、電動ノコギリなど）などの大物工具が収容され、小物収容空間には電動工具のパーツ類（例えば、電動グラインダの円板砥石、電動ドリルの各種ドリルセット、電動ノコギリのノコギリ刃など）、ねじ類、ナット類などの各種小物が収容され、このように大物工具と各種小物とを区分けして収納することによって、大物工具と各種小物を工具箱本体にきれいに収容することができるとともに、作業時における使用の利便性を高めることができる。
【０００３】
【特許文献１】特開２００４−２１６４７４号公報
【発明の開示】
【発明が解決しようとする課題】
【０００４】
しかしながら、このような工具箱では、次の通りの解決すべき問題がある。例えば、埋設ガス管、埋設通信線、埋設電力線、水道などの工事においては、地面に設けられた掘削孔を通して地下の作業空間に入り、この作業空間にて所定の作業を行うようになる。このような作業では、各種工具が収容された工具箱は開口部付近の地面に設置されるが、工具箱本体の上面に開口が設けられている故に、作業空間内の作業者が工具箱からの工具の取出し、工具箱への工具の戻しを直接的に行うのが難しく、作業者と地上の補助作業者との間で工具の受け渡しを行って作業を行っており、従って、この種の工事では作業効率が悪くなるという問題がある。また、作業に用いる各種工具は、工事の作業手順とは全く関係なく工具収容部に収容されているので、必要な工具を取出す際に工具を探すことが多々あり、特に収容される工具の種類が多いときにはその頻度も多くなり、更には一部の作業をとばして後回しにする問題も生じ、このことに関連しても作業効率が悪くなる。
【０００５】
また、この種の工事では、工事に用いる部品及び作業工具の種類が多く、これらを一つの工具箱に収容しようとすると、工具箱が大きくなるととともに、これらを収容したときの重量も重くなる問題がある。そこで、これら部品及び作業工具を二つの工具箱に分けて収容することも考えられるが、このように分けて収容した場合、容易に且つ安全に運搬することが求められる。特に、都市部では工事現場に作業車を駐車することが難しく、駐車場に作業車を駐車して工事現場まで工具箱を運搬しなければならない場合が多く、このような場合、上述した要求がより強く求められる。
【０００６】
本発明の目的は、開口部を通して下側の作業空間に入って作業を行う場合においても、補助作業者を必要とすることなく正しい順序で工具箱本体からの工具の取出し、戻しを容易に行うことができる作業工具箱を提供することである。
【０００７】
本発明の他の目的は、二つの工具箱を容易に且つ安全に運搬することができる工具収容装置を提供することである。
【課題を解決するための手段】
【０００８】
本発明の請求項１に記載の作業工具箱は、開口部を通して下側の作業空間に入って所定の作業を行うときに用いる作業工具箱であって、作業を行うための工具を収容するための工具箱本体と、前記工具箱本体に開閉自在に装着された蓋部材とを備え、前記工具箱本体には上面から前面にかけて本体開口が設けられ、前記蓋部材は前記工具箱本体の前記本体開口を開閉することを特徴とする。
【０００９】
また、本発明の請求項２に記載の作業工具箱では、前記工具箱本体の上部には本体収容部が設けられ、前記本体開口は前記本体収容部の上面から前面にかけて設けられ、前記蓋部材は前記本体収容部の前記本体開口を開閉し、また前記工具箱本体の下部には補助収容部が設けられ、前記補助収容部の前面に補助開口が設けられ、前記補助開口に関連して、前記補助開口を開閉する補助蓋部材が設けられていることを特徴とする。
【００１０】
また、本発明の請求項３に記載の作業工具箱では、前記工具箱本体の上部には本体収容部が設けられ、前記本体開口は前記本体収容部の上面から前面にかけて設けられ、また前記工具箱本体の下部には補助収容部が設けられ、前記補助収容部の前面に補助開口が設けられ、前記蓋部材は前記本体収容部の前記本体開口及び前記補助収容部の前記補助開口を開閉することを特徴とする。
【００１１】
また、本発明の請求項４に記載の作業工具箱では、前記工具箱本体には工具収容部が設けられ、前記工具収容部は仕切板によって複数の工具収容空間に仕切られ、前記複数の工具収容空間には所定の作業の作業工程順に従って使用される工具がその作業工程順に収容されていることを特徴とする。
【００１２】
また、本発明の請求項５に記載の作業工具箱では、前記工具箱本体の両側部には一対の持上げ部が設けられ、また前記工具箱本体の底面には補強部材が設けられ、前記一対の持上げ部は前記補強部材を介して相互に連結されていることを特徴とする。
【００１３】
また、本発明の請求項６に記載の工具収容装置は、上下方向に載置される下側工具箱及び上側工具箱を備え、前記下側工具箱は作業を行うための工具を収容するための下側工具箱本体と、前記下側工具箱本体の両側部に設けられた一対の下側持上げ部とを備え、また前記上側工具箱は作業を行うための工具を収容するための上側工具箱本体と、前記上側工具箱本体の両側部に設けられた一対の上側持上げ部とを備え、前記下側の両側部には一対の下側持上げ部とを備え、前記上側工具箱本体は前記下側工具箱の前記一対の下側持上げ部の内側にて前記下側工具箱本体に載置されることを特徴とする。
【００１４】
更に、本発明の請求項７に記載の工具収容装置では、前記下側工具箱の前記一対の下側持上げ部には把持部が設けられ、また前記上側工具箱の前記一対の上側持上げ部には、前記一対の下側持上げ部の前記把持部に載置される被載置部が設けられ、前記一対の下側持上げ部の前記把持部及び／又は前記一対の上側持上げ部の前記被載置部には滑止め部材が設けられていることを特徴とする。
【発明の効果】
【００１５】
本発明の請求項１に記載の作業工具箱によれば、工具箱本体の上面から前面にかけて本体開口が設けられ、蓋部材を開放することによってこの本体開口が開放されるので、作業空間から開口部を通して体の一部を出すことによって、工具箱本体の開放された前面及び上面の本体開口を通して必要な工具を容易に識別して取り出すことができる。その結果、工具を受け渡しする補助作業者などを必要とせず、作業効率を高めることができる。尚、作業空間の上側の開口部とはマンホールの開口部、掘削溝の開口部であり、この作業空間で行われる作業とは、埋設ガス管、埋設通信線、埋設電力線などの敷設、改修などの作業である。
【００１６】
また、本発明の請求項２に記載の作業工具箱によれば、工具箱本体の上部の本体収容部に本体開口が設けられているので、この本体収容部に収容された工具をその前面側から容易に取出し、また取り出した工具の戻しを容易に行うことができる。また、工具箱本体の下部の補助収容部も前面に補助開口が設けられているので、補助蓋部材を開放することによって、この補助収容部に収容された工具を前面側から容易に取出し、また取り出した工具の戻しを行うことができる。
【００１７】
また、本発明の請求項３に記載の作業工具箱によれば、工具箱本体の上部の本体収容部に本体開口が設けられ、また本体収容部の下部の補助収容部に補助開口が設けられ、蓋部材を開放することによって、これら本体開口及び補助開口が開放されるので、本体収容部及び補助収容部に収容された工具を前面側から容易に取出し、また取り出した工具の戻しを容易に行うことができる。
【００１８】
また、本発明の請求項４に記載の作業工具箱によれば、工具箱本体の工具収容部は仕切板によって複数の工具収容空間に仕切られ、これら工具収容空間には所定の作業の作業工程順に従って工具が収容されているので、工具を探すこと少なく、また工具を誤って取ることも少なくなり、これによって作業時間の短縮を図ることができる。
【００１９】
また、本発明の請求項５に記載の作業工具箱によれば、工具箱本体の両側部に設けられた一対の持上げ部が工具箱本体の底面の補強部材を介して相互に連結されているので、一対の持上げ部及び補強部材が工具箱本体の底部から支えるようになり、このような構成によって、作業工具箱の強度を高めることができる。
【００２０】
また、本発明の請求項６に記載の工具収容装置によれば、下側工具箱は下側工具箱本体及び一対の下側持上げ部を備え、上側工具箱は上側工具箱本体及び一対の上側持上げ部を備え、上側工具箱本体は下側工具箱の一対の下側持上げ部の内側にて下側工具箱本体に載置されるので、下側工具箱の一対の持上げ部が横方向の移動を阻止する移動阻止手段として機能し、下側工具箱本体に対する上側工具箱本体の横方向の移動を阻止して安全に運搬することができる。
【００２１】
更に、本発明の請求項７に記載の工具収容装置によれば、下側工具箱の一対の下側持上げ部の把持部及び／又は上側工具箱の一対の上側持上げ部の被載置部には滑止め部材が設けられているので、かかる滑り止め部材によって、下側工具箱に対する上側工具箱の相対的移動（特に、前後方向の移動）を確実に阻止してより安全に運搬することができる。
【発明を実施するための最良の形態】
【００２２】
以下、添付図面を参照して、本発明に従う作業工具箱及び工具収容装置の一実施形態について説明する。図１は、本発明に従う作業工具箱を備えた工具収容装置の一実施形態を示す斜視図であり、図２は、図１の工具収容装置の作業工具箱を蓋部材及び補助蓋部材を開放した状態で示す斜視図であり、図３は、図２の作業工具箱の側面図であり、図４は、図２の作業工具箱を底面側から見た斜視図であり、図５は、図１の工具収容装置の下側工具箱の下側工具箱本体を示す平面図であり、図６は、図１の工具収容装置の上側工具箱の上側工具箱本体を示す平面図であり、図７は、図１の工具収容装置を用いた作業を説明するための簡略説明図である
図１において、図示の工具収容装置２は、上下方向に載置される下側工具箱４及び上側工具箱６を備え、この下側工具箱４の上側に上側工具箱６が載置される。図１に示すように、下側工具箱４には移動用のキャスター手段８が設けられ、このキャスター手段８は下側工具箱４の４角部に取り付けられた４個のキャスター１０（図１において２個のみ示す）から構成されている。各キャスター１０はそれ自体周知の構成のものであり、下側工具箱４に取り付けられた取付部１２と、この取付部１２に上下方向に延びる軸部１４を中心として回転自在に支持された支持部１６と、支持部１６の両側に回転自在に装着された車輪１８とを備えている。
【００２３】
下側工具箱４及び上側工具箱６は、キャスター手段８の有無を除けば実質上同一の構成であり、以下主として図２〜図４を参照して上側工具箱６（下側工具箱６）について説明する。上側工具箱６（下側工具箱８）は、工具を収容するための上側工具箱本体２０（下側工具箱本体２２）を備え、この上側工具箱本体２０（下側工具箱本体２２）の上部に本体収容部２４が設けられ、その下部に補助収容部２６が設けられ、本体収容部２４と補助収容部２６とが仕切壁２８（この仕切壁２８が本体収容部２４の底壁を構成している）によって上下方向に仕切られている。
【００２４】
この実施形態では、上側工具箱６（下側工具箱４）の本体収容部２４は、上側工具箱４（下側工具箱４）の一対の側壁３０，３２、後壁３４、前中間壁３６及び仕切壁２８によって規定され、本体収容部２４の上面から前面中間部にかけて本体開口３８が設けられ、この本体開口３８を通して後述する工具が取り出され、また取り出した工具が元に戻される。この形態では、本体収容部２４の全体が工具収容部として機能し、この本体収容部２４は、例えば複数種の仕切板４０，４２，４４，４６，４７によって図６（図５）に示すように仕切られて複数の大小の工具収容空間を規定する。かかる本体収容部２４の工具収容空間については後述する。
【００２５】
また、上側工具箱４（下側工具箱４）の補助収容部２６は、上側工具箱４（下側工具箱４）の一対の側壁３０，３２、後壁３４及び底壁４８によって規定され、補助収容部２６の前面に補助開口５０が設けられ、この補助開口５０を通して後述する工具などが取り出され、また取り出した工具などが元に戻される。この補助収容部２６には、例えば２枚の仕切板５２により仕切られて３つの補助収容空間が設けられている。
【００２６】
上側工具箱６（下側工具箱４）の本体収容部２４の本体開口３８は、蓋部材５４により開閉される。蓋部材５４は略Ｌ字状の蓋本体５６を備え、この蓋本体５６の後端部が一対のヒンジ５８を介して後壁３４の上端部に開閉自在に装着され、この蓋部材５４は、図１に示すとともに図３に実線で示す閉位置と、図３に二点鎖線で示す全開位置との間を旋回自在であり、上記閉位置においては本体収容部２４の本体開口３８を閉塞し、上記全開位置においてはかかる本体開口３８全体を開放する。
【００２７】
上側工具箱６（下側工具箱４）の補助収容部２６の補助開口５０は、補助蓋部材６０により開閉される。補助蓋部材６０はプレート状であり、その下端部が一対のヒンジ６２を介して底壁４８の前端部に開閉自在に装着され、図１に示すとともに図３に実線で示す閉位置と、図３に二点鎖線で示す開位置との間を旋回自在であり、上記閉位置においては補助収容部２６の補助開口５０を閉塞し、上記開位置においてはこの補助開口５０を開放する。
【００２８】
この実施形態では、蓋部材５４及び補助蓋部材６０を閉位置にロック保持するためのロック手段６４が設けられている（特に、図１及び図３参照）。ロック手段６４は一対の係止ロック手段６６から構成され、かかる係止ロック手段６６は、係止部６７を有する第１金具６８と係止リング７０及び操作部７２を有する第２金具７４とから構成されるそれ自体周知のものでよく、例えば、第１金具６８が蓋部材５４の蓋本体５６の先端部に取り付けられ、第２金具７４が補助蓋部材６０の上端部に取り付けられる。蓋部材５４を上記閉位置まで旋回すると、その先端部が前中間壁３６の前面のに当接し、また補助蓋部材６０を上記閉位置まで旋回すると、その上端部が前中間壁３６の前面に当接し、かかる状態にて第２金具７４の係止リング７０を第１金具６８の係止部６７に係止させて操作部７２をロック操作することによって、この係止ロック手段６６がロック状態となり、蓋部材５４及び補助蓋部材６０を同時に閉位置にロック保持することができる。尚、蓋部材５４及び補助蓋部材６０にそれぞれ別個にロック手段を設け、蓋部材５４と補助蓋部材６０とを別個にロック状態に保持するようにしてもよい。
【００２９】
上側工具箱６（下側工具箱４）には、更に、上側工具箱本体２０（下側工具箱本体２２）の両側部に一対の上側持上げ部７６，７８（下側持上げ部８０，８２）（図７も参照）が設けられている。上側持上げ部７６，７８（下側持上げ部８０，８２）は略逆Ｕ字状の部材から構成され、一方の上側持上げ部材７６（下側持上げ部材８０）の中間部は固定用ねじ８４（図３参照）によって上側工具箱本体２０（下側工具箱本体２２）の左側壁３０に固定され、他方の上側持上げ部材７８（下側持上げ部材８２）の中間部は固定用ねじ８４によって上側工具箱本体２０（下側工具箱本体２２）の右側壁３２に固定されている。これら上側持上げ部７６，７８（下側持上げ部８０，８２）の上部は上側工具箱本体２０（下側工具箱本体２２）より上方に突出し、かく突出した上端水平部８４，８６（８８，９０）が把持部として機能する。
【００３０】
また、上側工具箱本体２０（下側工具箱本体２２）の底面には、前後方向に間隔をおいて一対の補強部材９２，９４が設けられている（図４参照）。これら補強部材９２，９４は断面が矩形中空スリーブ状部材から構成され、上側工具箱本体（下側工具箱本体２２）の横方向一端部から他端部まで延びており、一方の持上げ部７６（８０）の両端部が一対の補強部材９２，９４の一端部に挿入固定され、また他方の持上げ部７８（８２）の両端部が一対の補強部材９２，９４の他端部に挿入固定されている。このように構成されているので、上側工具箱６（下側工具箱４）においては、一対の上側持上げ部７６，７８（下側持上げ部８０，８２）は、補強部材９２、９４を介して相互に連結され、一対の上側持上げ部７６，７８（下側持上げ部８０，８２）及び補強部材９２，９４は上側工具箱本体２０（下側工具箱本体２２）の底部から抱えるように支持するので、これらによって上側工具箱本体２０（下側工具箱本体２２）の強度を高めることができる。尚、この形態では、一対の上側持上げ部７６，７８（下側持上げ部８０，８２）及び補強部材９２，９４を別個の部材から構成してるが、これら上側持上げ部材７６，７８（下側持上げ部材８０，８２）及び補強部材９２，９４を一体の部材から構成してもよい。
【００３１】
この実施形態では、上側持上げ部７６，７８及び下側持上げ部８０，８２に関連して次のように構成されている。図１から理解されるように、下側工具箱本体２２の上側に上側工具本体２０が載置される（その補強部材９２，９４が下側工具本体２２の上面に載置される）が、この載置状態においては、上側工具本体２０の下部が下側工具箱４の一対の下側持上げ部８０，８２間の内側に嵌り込むように載置される。従って、上側工具箱本体２２の横方向（図１において左右方向）の移動が一対の下側持上げ部８０，８２によって阻止され、下側工具箱本体２２に対して上側工具箱本体２０が横方向に相対的に移動することが防止される。
【００３２】
この形態では、上側工具箱６（下側工具箱４）の一対の上側持上げ部７６，７８（下側持上げ部８０，８２）の中間部に接続部９６（後述するように被載置部として機能する）が設けられ、かかる接続部９６には一対の位置付け突起９８が設けられ、これら位置付け突起９８は下方に突出している。また一対の上側持上げ部７６，７８（下側持上げ部８０，８２）の把持部８４，８６（８８，９０）の上面部には、一対の位置付け突起９８に対応して一対の位置付け孔１００が設けられている。このように構成されているので、下側工具箱４に上側工具箱６を載置すると、上側工具箱６の一対の上側持上げ部７６，７８の接続部９６が下側工具箱４の一対の下側持上げ部８０，８２の把持部８０，８２に載置され、上側工具箱６が一対の上側持上げ部７６，７８を介して一対の下側持上げ部８０，８２に支持され、これによって、下側工具箱本体２２の上面に上側工具箱本体２０の全重量が作用するのを防止することができる。また、この載置状態では、上側工具箱６の一対の上側持上げ部７６，７８の一対の位置付け突起９８が下側工具箱４の一対の下側持上げ部８０，８２の一対の位置付け孔１００に挿入され、これによって、下側工具箱本体２２に対して上側工具箱本体２０が所定の位置に位置付けられるとともに、下側工具箱本体２２に対する上側工具箱本体２０の任意の方向への相対的移動が阻止される。尚、この形態では、下側工具箱４の一対の下側持上げ部８０，８２と上側工具箱６の一対の上側持上げ部７６，７８とは実質上同一の構成であるが、上述した機能を達成するためには、一対の下側持上げ部８０，８２における接続部９６及び位置付け突起９８と、一対の上側持上げ部７６，７８における位置付け孔１００とを省略するようにしてもよい。
【００３３】
この工具収容装置２においては、更に、次のように構成されている。図２に示すように、上工具箱６（下工具箱４）の補助蓋部材６０には、その一部を前面側に張り出すことによって部品載置用凹部１０４が設けられている。この部品載置用凹部１０４は下端部に向けて深さが漸増するように構成され、補助蓋部材６０を開位置まで旋回させると、その上端が地面などに当接し、図２に示す状態に保持される。この開状態においては、部品載置用凹部１０４は、下端部（ヒンジ６２が取り付けられた端部）に向けてその深さが幾分深くなる状態（換言すると、部品載置用凹部１０４の載置面が上記舌端部に向けて幾分下方に傾斜する状態）となり、ボルト、ナット、ねじなどの各種部品を載置する台として好都合に用いることが
できる。
【００３４】
また、上工具箱６（下工具箱４）の蓋部材５４の蓋本体５６の所定部位（工具箱の上壁として機能する部位）には、矩形状の開口が設けられ、この矩形状の開口を覆うように透明乃至半透明のプレート状部材１０６（図１、図７参照）が設けられている。このように上工具箱６（下工具箱４）の蓋本体５６の一部を透明乃至半透明にすることによって、プレート状部材１０６を通して上工具箱６（下工具箱４）内を外部から見ることができ、蓋部材５４を開放することなく収容された工具などを確認することができる。
【００３５】
更に、図７に示すように、上工具箱６（下工具箱４）の蓋部材５４の内面側には手順表取付手段１０８が設けられている。図示の手順表取付手段１０８は、シート状部材１０６の周囲に配設された４つの取付保持片１１０から構成されている。作業工程の手順及びその内容を示す作業手順表（図示せず）は、例えば合成樹脂製のホルダ１１２に収容され、このホルダ１１２には、各取付保持片１１０に対応して、装着孔が設けられた装着部１１４が設けられ、これら装着部１１４が取付保持片１１０に着脱自在に装着される。このように作業手順表を取り付けることによって、作業内容を確認しながら所定の作業を間違いなく行うことができる。
【００３６】
次いで、図５〜図７を参照して、下側工具箱４及び上側工具箱６の内部構造について説明する。この実施形態では、下側工具箱４及び上側工具箱６に収容された各種工具は、作業の工程順に並べられて所要の通りに収容され、まず上側工具箱６に収容された各種工具を用い、次いで下側工具箱４に収容された各種工具を用いるように構成されているが、これとは反対に、まず下側工具箱４に収容された各種工具を用い、次いで上側工具箱６に収容された各種工具を用いるように収容するようにしてもよい。
【００３７】
図５において、上側工具箱６の本体収容部２４の工具収容部は、上述したように、仕切板４０，４２，４４，４６，４７によって仕切られ、これら仕切板４０〜４７によって工具収容空間Ａ〜Ｆが規定され、また下側工具箱４の本体収容部２４の工具収容部も仕切板４０〜４７によって仕切られ、これら仕切板４０〜４７によって工具収容空間Ｇ〜Ｋが規定される。この上側工具箱６及び下側工具箱４には、例えばＳＰ工事（道路に埋設されたガス管から各家にガス管を引き込む工事）に用いられる各種工具及び材料が収容される。このＳＰ工事では、現場における掘削作業（ガス管を埋設するための収容溝を掘削する）、サドル設置作業（埋設ガス管にサービスサドルを設置する）、穿孔作業（埋設ガス管に取出し孔を形成する）、バルブチー取付作業（サービスチーにバルブチーを取り付ける）、ロケーティングワイヤ固定作業（供給ガス管にロケーティングワイヤを固定する）継手（ソケット）融着作業（バルブチーにＰＥソケットを介して供給ガス管を融着する）、赤火確認作業（ガスが流れているかを確認する）、管末キャップ融着作業（ＰＥ管の管末にキャップを融着する）、ロケーティングワイヤの接続作業（既設の埋設ガス管のロケーティングワイヤと接続した供給ガス管のロケーティングワイヤとを接続する）、管カバーの設置作業（供給ガス管に管カバーを設置する）及び埋戻し作業（掘削した土砂を収容溝に埋め戻す）が行われ、これら作業に用いる各種工具及び材料が、次の通りにして上側工具箱６及び下側工具箱４に収容される。
【００３８】
この形態では、上側工具箱６の工具収容空間Ａ〜Ｄには、バブルチー取付作業までの各種工具及び材料が作業工程順に収容される。即ち、工具収容空間Ａには、サドル設置作業の準備などに用いる腐食テープ、スクレーパなどが収容され、工具収容空間Ｂには、サドル設置作業に用いるサービスサドル、トルクレンチ、放散管などが収容され、工具収容空間Ｃには、穿孔作業に用いるホールソ−セット、ＳＮＢ作業袋などが収容され、また工具収容空間Ｄには、バルブチー取付作業に用いるバルブチー、チューブ式シール、石けん水などが収容される。また、工具収容空間Ｅには、サドル設置作業に用いるパイプレンチが収納される。パイプレンチは細長く、工具収容空間Ａ，Ｂなどに収容することができないので、パイプレンチ用の工具収容空間Ｅを上側工具箱６内の後面側に設けている。この上側工具箱６には、更に、工具収容空間ａ〜ｆが規定されており、左端に位置する工具収容空間ａには、作業を開始するに当たって確認などするための図面、作業手順書などが収容され、また工具収容空間ｂ〜ｆには、小物の工具（小型のドライバー、小型のスパナなど）、材料（マジック、マーカー、ボルト、ナットなど）などが収容される。
【００３９】
また、下側工具箱４の工具収容空間Ｇには、ロケーティングワイヤ固定作業に用いるロケーティングワイヤが収容されているとともに、継手融着作業に用いるＰＥエルボ継手、ＰＥ直管などが収容され、工具収容空間Ｈには、継手融着作業に用いるエルボクランプが収容されているとともに、この継手融着作業におけるスクレープ工程に用いるスクレーパ、コードレスドリルなどが収容されている。また工具収容空間Ｆには、赤火確認作業に用いる赤火確認用バック、カッタなどが収容され、更に工具収容空間Ｋには、継手融着作業に用いるＰＥクリーナが収容され、ＰＥクリーナについても専用の収容空間が設けられている。この下側工具箱４においても、上側工具箱６と同様に、小さな工具収容空間ｇ〜ｌが規定されており、これら工具収容空間ｇ〜ｌにも、必要に応じて小物の工具、材料などが収容される。
【００４０】
上述した工具収容装置２（下側工具箱４及び上側工具箱６）を用いた作業は、次のように行われる。工具収容装置２を車輌（図示せず）に積んで工事現場付近まで輸送し、工事現場付近にて車輌から降ろして工事現場まで移動する。この移動の際には、図１に示すように、下側工具箱４の上に上側工具箱６を載置し、上側工具箱６の持上げ部７８（又は７６）の把持部８６（又は８４）を押しながら移動する。このとき、上側工具箱６の上側工具箱本体２０が下側工具箱４の一対の持上げ部８０，８２間に位置しているので、かかる持上げ部８０，８２によって上側工具箱本体２０の押し方向の相対的移動が確実に防止され、上側工具箱６を積層した状態で安全に移動させることができる。
【００４１】
次いで、図７に示すように、上側工具箱６を下側工具箱４から降ろして、例えばマンホールの開口部１２０に近接して前面側が開口部１２０側に向くように設置する。この設置は、一対の持上げ部７６，７８の把持部８４，８６を把持して持ち上げることによって容易に行うことができる。また、下側工具箱６についても、マンホールの開口部１２０に近接する位置まで移動させて前面側が開口部１２０に向くように設置する。この移動設置も、下側工具箱４の持上げ部８０（又は８２）の把持部８８（又は９０）を押すことによって容易に移動設置することができる。そして、下側工具箱４及び上側工具箱６の蓋部材５４及び補助蓋部材６０を開状態にし、下側工具箱本体２２及び上側工具箱本体２０の本体収容部２４の上面及び前面を開放するとともに、それらの補助収容部２６の前面を開放し、このように下側工具箱４及び上側工具箱６を設置して作業の準備を行う。尚、必要に応じて、マンホールの開口部１２０の周囲に複数のポール１２２（図７においてそれらの一つを示す）を設置し、これらポール１２２間に工事用バー１２４を取り付け、通行人などに対する安全を確保する。
【００４２】
その後、マンホールの開口部１２０を通して下側の作業空間に入り、上述した所定の作業を行うようになる。この作業においては、上述したように、上側工具箱６及び下側工具箱４内に収容された各種材料及び各種工具は、図５及び図６を参照して説明したように、所定の作業の作業手順の順に収容されているので、作業の進行に応じて上側工具箱６の一端側（図５及び図７において左側）の工具収容空間Ａから他端側に向けて順に収容された材料及び工具を取り出して作業を行えばよく、また上側工具箱６に収容された材料及び工具を用いた作業が終了した後は、次に下側工具箱４の一端側（図６及び図７において左側）の工具収容空間Ｇから他端側に向けて順に収容された材料及び工具を取り出して作業を行えばよく、これによって、材料、工具の取り間違えを少なくして作業効率を改善することができる。また、この材料、工具の取出し、また取り出した工具の戻しにおいては、下側工具箱本体２２及び上側工具箱本体２０の本体収容部２４の上面及び前面が開放されているので、作業者がマンホールの開口部１２０から顔を出すことによって、下側工具箱４及び上側工具箱６に収容された材料、工具を容易に確認しながら取出すことができ、このことによっても作業効率の一層の改善を図ることができる。
【００４３】
尚、上側工具箱６の工具収容空間Ａ〜Ｆ、ａ〜ｆ及び下側工具箱４の工具収容空間Ｇ〜Ｋ、ｇ〜ｌとこれら工具収容空間に収容される工具との関係をわかりやすくするために、工具収容空間とこれに収容される工具との間に一定の関連を持たせる（例えば、同じ色の塗料を施す、同じ色のテープを貼り付けるなど）ようにすることができる。
【００４４】
次に、図８を参照して、上側工具箱の他の実施形態について説明する。図８は、他の実施形態の上側工具箱を蓋部材を開放した状態で示す斜視図である。尚、図８において、上述した実施形態と実質上同一の部材には同一の参照番号を付し、その説明を省略する。
【００４５】
図８において、この実施形態では、上側工具箱６Ａの本体収容部２４の上面開口３８及び補助収容部２６の補助開口５０を蓋部材５４Ａによって開閉するように構成されている。即ち、蓋部材５４Ａは略Ｌ字状の蓋本体５６Ａを備え、この蓋本体５６Ａの先端側は補助開口５０までを覆うように大きく延びている。また、係止ロック手段６６（ロック手段６４を構成する）の第１金具６８は蓋本体５６Ａの先端部に取り付けられ、その第２金具７４は、補助収容部２６の補助開口５０の下部に設けられた前下端壁１０２に取り付けられる。更に、この形態では、上側工具箱６Ａ（及び下側工具箱）の一対の上側持上げ部７６，７８（及び下側持上げ部）の把持部８４，８６に滑止め部材２０２が設けられ、かかる滑止め部材２０２を貫通して位置付け孔１００が設けられている。かかる滑止め部材２０２は、この形態では各把持部８４，８６の全周に設けられているが、上側工具箱６Ａの一対の上側持上げ部７６，７８の接続部９６が載置される把持部８４，８６の上面部のみに設けるようにしてもよい。この他の実施形態におけるその他の構成は、上述した実施形態と同一である。
【００４６】
かかる形態の上側工具箱６Ａにおいては、蓋部材５４Ａを閉位置まで旋回させると、蓋本体５６Ａは、上側工具箱６Ａの本体収容部２４の上面開口３８及び補助収容部２６の補助開口５０を閉塞する。また、また蓋部材５４Ａを例えば全開位置まで旋回すると、この本体収容部２４の上面開口３８及び補助収容部２６の補助開口５０を開放し、本体収容部２４の上面及び前面が開放されるとともに、補助収容部２６の前面が開放され、これらに収容された工具などの取出し、戻しが容易となる。
【００４７】
上述した蓋部材５４Ａについては、上側工具箱６Ａに適用して説明したが、このような構成は下側工具箱にも同様に適用することができる。
以上、下側工具箱４及び上側工具箱６を備えた工具収容装置２の一実施形態について説明したが、このような工具収容装置２として用いることもできるが、下側工具箱４又は上側工具箱６を単独の工具箱として用いることもできる。
【００４８】
また、上述した実施形態では、本体収容部２４及び補助収容部２６を備えた下側工具箱４及び上側工具箱６を用いているが、下側工具箱４及び上側工具箱６のいずれか一方又は双方において補助収容部を省略するようにしてもよい。
【図面の簡単な説明】
【００４９】
【図１】本発明に従う作業工具箱を備えた工具収容装置の一実施形態を示す斜視図。
【図２】図１の工具収容装置の作業工具箱（上側工具箱）を蓋部材及び補助蓋部材を開放した状態で示す斜視図。
【図３】図２の作業工具箱（上側工具箱）の側面図。
【図４】図２の作業工具箱（上側工具箱）を底面側から見た斜視図。
【図５】図１の工具収容装置の下側工具箱の下側工具箱本体を示す平面図。
【図６】図１の工具収容装置の上側工具箱の上側工具箱本体を示す平面図。
【図７】図１の工具収容装置を用いた作業を説明するための簡略説明図。
【図８】他の実施形態の作業工具箱（上側工具箱）を示す斜視図。
【符号の説明】
【００５０】
２  工具収容装置
４  下側工具箱
６  上側工具箱
２０  上側工具箱本体
２２  下側工具箱本体
２４  本体収容部
２６  補助収容部
３８  本体開口
５０  補助開口
５４  蓋部材
６０  補助蓋部材
７６，７８  上側持上げ部
８０，８２  下側持上げ部
Ａ〜Ｋ、ａ〜ｌ  工具収容空間
【図１】
2009012128.tif 000003
【図２】
2009012128.tif 000004
【図３】
2009012128.tif 000005
【図４】
2009012128.tif 000006
【図５】
2009012128.tif 000007
【図６】
2009012128.tif 000008
【図７】
2009012128.tif 000009
【図８】
2009012128.tif 000010